(57)【特許請求の範囲】
【請求項１】
導光板を使用し集光制御する閃光装置において、導光板成形時のゲート部を射出面側中央付近の最大肉厚部に形成し、該ゲート部を利用して該導光板の位置決め手段として用いると共に、該導光板成形時のリブ部を利用して該導光板の回転止め手段とすることを特徴とする閃光装置。
【請求項２】
該導光板の位置決め手段が、位置決め突起部とこの先端部で位置決め範囲より狭いゲート部とによって構成されることを特徴とする請求項１記載の閃光装置。
【請求項３】
該導光板の位置決め手段の延長線上にリブを複数用い、かつ、閃光発光光源入射面より突出させた形状としたことを特徴とする請求項１記載の閃光装置。
【請求項４】
請求項１ないし請求項３記載の閃光装置をカメラ本体に組み込んだことを特徴とするカメラ。
【発明の詳細な説明】
【０００１】
【発明の属する技術分野】
本発明は、撮影のために用いられる閃光装置及び該閃光装置を有するカメラに関するものである。
【０００２】
【従来の技術】
従来、導光板閃光装置（ライトガイド閃光装置ともいう）では、図５に示すように反射笠３ａ及びキセノン管３ｂから閃光光源ユニット３の前方に配置した導光板１は本体２の突き当て部２ｃ，２ｄ及び導光板１の光線射出部１ｃ付近を、本体２の位置決めリブ２ｅ等にて外径形状での位置決め及びフレ止めを行っており、本体２の前部には前面プレート４が取り付けられ、その上部は蓋５で覆われている。
また、特開平８−２３４２７７号公報に記載されている照明装置では導光板閃光装置には基本構成が示されているが、光学部品の保持手段等は明確に示されていない。
【０００３】
【発明が解決しようとする課題】
ところで、従来、導光板閃光装置で使用する導光板はその全ての面を反射または屈折面として利用しており、外径形状で位置決めを行うと、正確な位置決めができないという欠点があり、入射・反射光線束に誤差が発生し、光利用効率が低下し、均一な性能（例えばガイドナンバー・配光特性）が得られないという問題点がある。
【０００４】
本発明は、前述従来技術の欠点を除去し、導光板閃光装置で使用する導光板射出成形時のゲート部を利用して、本来光学的に有効に機能しないゲートを有効活用し、さらに導光板射出成形時のリブ部を利用して、性能を損なうことなく照明光学系の確実な保持を行うことのできる閃光発光装置を提供することを第１の目的とする。同じく、本発明は導光板閃光装置で使用する導光板射出成形時の射出成形性及び組立性の向上した閃光発光装置を提供することを第２の目的とする。
【０００６】
【課題を解決するための手段】
前述の目的を達成するために、本発明は導光板を使用する閃光装置において、導光板を成形時のゲート部及びリブ部を利用して装置本体取付の際の位置決め及び回転止めにしたものである。
【０００７】
【発明の実施の態様】
請求項１に示す本発明は導光板を使用し集光制御する閃光装置において、導光板成形時のゲート部を利用して該導光板の位置決め手段として形成すると共に、リブ部を利用して該導光板の回転止め手段とすることにより照明光学系の制御作用の安定した閃光装置の照明光学系の保持ができる。請求項２に示す本発明は該導光板の位置決め手段が、位置決め突起部とこの先端部で位置決め範囲より狭いゲート部とによって構成されることにより、導光板成形後のゲート部切断によるバリ・カエリ・変形が発生しても、位置決め部に何ら影響を与えることがないので、位置決め部を保護できる。請求項３に示す本発明は該導光板の位置決め手段の延長線上にリブを複数用い、かつ閃光発光光源入射面より突出させた形状としたことにより、閃光発光光源の入射面付近を、ゴミ・ケバ・汚れ・ヤケ等の防止と閃光発光光源の安定保持ができる。
【０００８】
請求項４に示す本発明は以上の構成を有する閃光装置をカメラに組み込んだことにより、カメラとして閃光装置の照明光学系群が安定保持されかつ光制御機能がよいので、適正な閃光撮影ができる。
【０００９】
【実施例】
以下、本発明の第1実施例を図1に基づいて説明する。
図1は本実施例の閃光装置の分解斜視図である。
図において、１１は導光板で、射出成形で構成される無色透明な照明光学系であって、その射出面１１ｃである前面の縁部中央に位置決め部となる射出成形時に形成されるゲート部１１ａを有し、その発光入射面11ｄである後面の縁部中央に回転止め部となる射出成形時に形成されるリブ部１１ｂを該ゲート部１１ａの延長線の位置に有している。１２は閃光装置本体で、該導光板１１を保持するためにその底面に該ゲート部１１ａが係合する位置決め穴１２ａと該リブ部１１ｂが係合する回転止め穴１２ｂを有している。１３は閃光光源ユニットで、該導光板１１の後部に配置され、反射笠１３ａ及びキセノン管等の閃光発光光源１３ｂから形成されている。１４は前面プレートで、該導光板１１の射出面１１ｃ側の前面側を覆っている。１５は閃光装置用蓋で、該導光板１１と閃光光源ユニット１３の浮き止めで、不図示の浮き止めガイド部と本体１２にビスにて固定される。
【００１０】
以上の構成の本実施例において、閃光発光光源１３ｂから射出した光束は、直接及び反射笠１３ａで反射した後、照明光学系の導光板１１の入射面１１ｄから被写体に向かい照射され、この時、導光板１１内での光制御により均一で集光性の高い照明が得られる。
ここで、導光板１１は射出成形する場合に、型割りが最小となる２分割で、発光射出面１１ｃ側をパーティングラインにしており、ゲート部１１ａが位置決め用を兼ね、かつ射出面１ｃ側中央付近の最大肉厚部にあるため、成形性のよい配置である。また、ゲート部１１ａの延長線上にリブ部１１ｂを導光板１１の回転の振れ止めとしたので正確な照明光学系保持が可能となり、スペース効率が良く、性能・品質を安定することができる。
【００１１】
図２は本発明の第２実施例を示すものである。説明を簡単にするために前述第１実施例と同一部分には同一符号を付し、相違する点のみを説明する。
図２は本実施例の閃光装置の分解斜視図である。
本実施例では導光板１１の射出面１１ｃの一縁中央に位置決め用突部１１ｃ′を形成するとともに、該位置決め用突部１１ｃ′の先端面にその位置決め範囲より狭いゲート部１１ａ′を設定したものである。その他の構成は前述第１実施例と同様である。
【００１２】
以上の構成の本実施例は射出成形後のゲート部１１ａ′の切断時に発生するバリ・カエリ・変形等が導光板１１の閃光装置本体１２への取り付けに影響しないようになり、導光板１１の射出成形性、組立性を改善できる。
【００１３】
図３は本発明の第３実施例を示すものである。
図３は本実施例の閃光装置の分解斜視図である。
本実施例では導光板１１の入射面１１ｄの一方の縁部中央に形成されるリブ部１１ｂに対向して他方の縁部中央にリブ部１１ｅを設け、かつ両リブ１１ｂ，１１ｅは入射面１１ｄより閃光発光光源１３ｂ側にやや突出して形成されることで、反射笠１３ａの位置決め部を兼ねるようにしたものである。その他の構成及び機能は前述第１実施例と同様である。
【００１４】
以上の構成の本実施例において、導光板１１のリブ１１ｂ，１１ｅ間に保護ガラスまたは化学強化ガラスを挿入（接着、圧入等）し、閃光発光光源１３と密封構成とすることにより、導光板１１と閃光発光光源１３のゴミ、ケバ、汚れ、ヤケ等を防止することができ、性能劣化を防止することも可能となる。
【００１５】
図４は本発明の参考例を示すものである。図４は本参考例の閃光装置の分解斜視図である。本参考例では、前述第１実施例の導光板１１を３分割したものである。すなわち、中央導光板２１と左右同形のサイド導光板２１′からなり、該中央導光板２１は射出面２１ｃの一方縁側に位置決め部となるゲート部２１ａを、入射面２１ｄの他方縁側に回転止めとなるリブ部２１ｂをそれぞれ形成し、左右のサイド導光板２１′は射出面２１ｃ′の一方縁側に位置決め部となるゲート部２１ａ′を、一側面にリブ部２１ｂ′をそれぞれ形成し、該中央導光板２１の左右に並設する場合は左右は互いに上下反転して配設される。
【００１６】
２２は閃光装置本体で、該中央導光板２１を保持するためにその底面に該ゲート部２１ａが係合する位置決め穴（不図示）と一方のサイド導光板２１´のゲート部２１ａ´が係合する位置決め穴（不図示）を有し、さらにその両内側面には左右のサイド導光板２１´のリブ部２１ｂ´が当接する突き当て部２２ｃ,２２ｄが形成されている。２３は閃光光源ユニットで、該導光板２１,２１´の後部に配置され、反射笠２３ａ及びキセノン管等の閃光発光光源２３ｂから形成されている。２４は前面プレートで、該導光板２１,２１´の射出面２１ｃ,２１ｃ´の前面側を覆っている。２５は閃光装置用蓋で、該導光板２１のリブ部２１ｂと係合する振れ止め穴２５ａと他方のサイド導光板２１´のゲート部２１ａ´が係合する位置決め穴２５ｂを有し、本体２２にビスにて固定される。
【００１７】
以上の構成の本実施例において、導光板２１,２１´の閃光装置本体22への組立について説明する。
まず、中央導光板２１のゲート部２１ａを本体22の底面の位置決め穴に係合して位置決めされ、次いで、図示右辺側のサイド導光板２１´のゲート部２１ａ´を本体22の底面の位置決め穴に係合して位置決めするとともに、そのリブ部２１ｂ´を突き当て部２２ｃに当接させる。
さらに、図示左辺側のサイド導光板２１´を右辺側のサイド導光板２１´に対し反転した状態で装着すると、そのリブ部２１ｂ´を突き当て部２２ｄに当接させて閃光装置用蓋２５で覆うと、その位置決め穴２５ｂにゲート部２１ａ´が係合して位置決めされる。同時に、閃光装置用蓋２５の振れ止め穴２５ａに中央導光板２１のリブ部２１ｂが係合して回転止めされることにより、中央導光板２１と左右サイド導光板２１´からなる照明光学系群が確実に保持される。
なお、本実施例は導光板を複数使用することで、光学的な面増加による境界面反射・屈折を繰り返し、照明光学系群の光制御作用を向上させる。
【００１８】
さらに、以上の各実施例の閃光装置をカメラに組み込むことによって、閃光装置の照明光学系群が安定保持されかつ光制御機能のよいので、適正な閃光撮影ができるカメラとすることができる。
【００１９】
【発明の効果】
以上説明したように、請求項１に示す本発明は導光板を使用し集光制御する閃光装置において、導光板成形時のゲート部を利用して該導光板の位置決め手段として形成すると共にリブ部を利用して該導光板の回転止め手段とすることにより、閃光装置の照明光学系としての導光板の正確な保持ができ、スペース的に効率が良くなる。請求項２に示す本発明は該導光板の位置決め手段としてのゲート部が位置決め範囲より狭い範囲にて形成したことにより、導光板成形後のゲート部切断によるバリ・カエリ・変形が発生しても、位置決め部に何ら影響を与えることがないので、位置決め部の保護ができる。請求項３に示す本発明は該導光板の位置決め手段の延長線上にリブを複数用い、かつ閃光発光光源入射面より突出させた形状としたことにより、閃光発光光源の入射面付近を、ゴミ・ケバ・汚れ・ヤケ等の防止と閃光発光光源の安定保持ができる。
【００２０】
請求項４に示す本発明はカメラに以上の構成を有する閃光装置を備えることにより、カメラとして閃光装置の照明光学系群が安定保持されかつ光制御機能がよいので、適正な閃光撮影ができる。
【図面の簡単な説明】
【図１】  本発明に係る第１実施例の閃光装置の分解斜視図である。
【図２】  本発明の第２実施例の閃光装置の分解斜視図である。
【図３】  本発明の第３実施例の閃光装置の分解斜視図である。
【図４】  本発明の参考例の閃光装置の分解斜視図である。
【図５】  従来例の閃光装置の分解斜視図である。
【符号の説明】
１１  導光板
２１  中央導光板
２１′  サイド導光板
１１ａ，１１ａ′，２１ａ′  ゲート部
１１ｂ，１１ｅ，２１ｂ，２１ｂ′  リブ部
１２，２２  閃光装置本体
１２ａ  位置決め穴
１２ｂ  回転止め穴
１３，２３  閃光光源ユニット
１４，２４  前面プレート
１５，２５  閃光装置用蓋
【図１】
0003897411.tif 000002
【図２】
0003897411.tif 000003
【図３】
0003897411.tif 000004
【図４】
0003897411.tif 000005
【図５】
0003897411.tif 000006